(57)【要約】【課題】車両の外部に表示する広告の効果を向上させること。【解決手段】広告配信装置は、移動端末のユーザＩＤと属性情報とを関連付けて記憶する個人情報ＤＢと、移動端末と位置の履歴とを関連付けて記憶する位置情報ＤＢと、位置の履歴に基づいて、移動端末のユーザが利用した道路を推定する利用道路推定部と、個人情報ＤＢと道路の推定結果とに基づいて、道路を利用するユーザの属性情報の分布を、時間帯毎に作成する利用傾向把握部と、広告情報を格納する広告情報ＤＢと、複数の道路区域情報の各々と広告表示に関する規則情報とを関連付けて記憶する規則ＤＢと、車両搭載装置が送信した位置情報と、道路を利用するユーザ属性情報の分布と、規則ＤＢとに基づいて、車両搭載装置へ配信する広告情報を決定する決定部と、広告情報を、車両搭載装置へ配信する配信部とを備える。【選択図】図３
2020052908.tif 000002
【特許請求の範囲】
【請求項１】
車両搭載装置と、広告配信装置とを含む広告配信システムであって、
前記広告配信装置は、
移動端末を保有するユーザの識別情報と前記ユーザの属性情報とを関連付けたユーザ情報を記憶する個人情報ＤＢと、
前記移動端末の識別情報と前記移動端末の位置情報の履歴とを関連付けた情報である位置履歴情報を記憶する位置情報ＤＢと、
前記位置情報ＤＢに記憶されている前記位置履歴情報に基づいて、前記移動端末を保有する前記ユーザが利用していた道路の推定結果である道路推定情報を導出する利用道路推定部と、
前記個人情報ＤＢに含まれる前記ユーザ情報と、前記利用道路推定部が導出した前記道路推定情報とに基づいて、前記道路を利用するユーザの属性情報の分布を、時間帯毎に作成する道路利用傾向把握部と、
複数の広告情報を格納する広告情報ＤＢと、
複数の道路区域を示す情報の各々と、前記道路区域での広告表示に関する規則を示す情報とを関連付けた情報である道路区域規則情報を記憶する規則ＤＢと、
車両搭載装置が送信した位置情報と、前記道路利用傾向把握部が作成した前記道路を利用するユーザの属性情報の分布と、前記規則ＤＢに記憶されている前記道路区域規則情報とに基づいて、前記広告情報ＤＢに格納されている複数の前記広告情報から、前記車両搭載装置へ配信する広告情報を決定する広告決定部と、
前記広告決定部が決定した広告情報を、前記車両搭載装置へ配信する広告配信部と
を備える、広告配信システム。
【請求項２】
前記車両搭載装置は、
前記車両搭載装置を搭載する車両の位置を収集し、収集した前記位置を示す情報を含み、前記広告配信装置をあて先とする車両位置通知情報を作成する位置計測部と、
前記広告配信装置が送信した広告配信情報に含まれる広告情報を、前記車両の外部に表示する広告表示部と
を備える、請求項１に記載の広告配信システム。
【請求項３】
前記広告表示部は、前記広告配信装置が送信した広告配信情報に含まれる複数の広告情報から、前記車両の状況に応じて選択した広告情報を、前記車両の外部に表示する、請求項２に記載の広告配信システム。
【請求項４】
前記広告表示部は、デジタルサイネージに、前記広告情報を表示する、請求項２又は請求項３に記載の広告配信システム。
【請求項５】
前記車両搭載装置は、
前記車両が、停車しているか否かを判定する停車判定部を備え、
前記広告表示部は、前記停車判定部が、前記車両が停車していると判定した場合に、前記広告情報を表示する、請求項２から請求項４のいずれか一項に記載の広告配信システム。
【請求項６】
前記広告配信装置は、
前記車両搭載装置が送信した前記位置情報に基づいて、走行ルートを導出する走行ルート導出部と、
前記走行ルート導出部が導出した前記走行ルートに基づいて、前記広告情報を表示した前記車両搭載装置へ支払う対価を算出する対価算出部と
を備える、請求項２から請求項５のいずれか一項に記載の広告配信システム。
【請求項７】
車両搭載装置に広告情報を配信する広告配信装置であって、
移動端末を保有するユーザの識別情報と前記ユーザの属性情報とを関連付けたユーザ情報を記憶する個人情報ＤＢと、
前記移動端末の識別情報と前記移動端末の位置情報の履歴とを関連付けた情報である位置履歴情報を記憶する位置情報ＤＢと、
前記位置情報ＤＢに記憶されている前記位置履歴情報に基づいて、前記移動端末を保有する前記ユーザが利用していた道路の推定結果である道路推定情報を導出する利用道路推定部と、
前記個人情報ＤＢに含まれる前記ユーザ情報と、前記利用道路推定部が導出した前記道路推定情報とに基づいて、前記道路を利用するユーザの属性情報の分布を、時間帯毎に作成する道路利用傾向把握部と、
複数の広告情報を格納する広告情報ＤＢと、
複数の道路区域を示す情報の各々と、前記道路区域での広告表示に関する規則を示す情報とを関連付けた情報である道路区域規則情報を記憶する規則ＤＢと、
車両搭載装置が送信した位置情報と、前記道路利用傾向把握部が作成した前記道路を利用するユーザの属性情報の分布と、前記規則ＤＢに記憶されている前記道路区域規則情報とに基づいて、前記広告情報ＤＢに格納されている複数の前記広告情報から、前記車両搭載装置へ配信する広告情報を決定する広告決定部と、
前記広告決定部が決定した広告情報を、前記車両搭載装置へ配信する広告配信部と
を備える、広告配信装置。
【請求項８】
車両の位置を収集し、収集した前記位置を示す情報を含み、広告配信装置をあて先とする車両位置通知情報を作成する位置計測部と、
前記広告配信装置が、前記位置を示す情報に基づいて選択した広告情報を含む広告配信情報を配信し、配信された前記広告配信情報に含まれる広告情報のうち、前記車両の状況に応じて広告情報を、前記車両の外部に表示する広告表示部と
を備える、車両搭載装置。
【請求項９】
車両搭載装置に広告情報を配信する広告配信装置が実行する広告配信方法であって、
移動端末を保有するユーザの識別情報と前記ユーザの属性情報とを関連付けたユーザ情報を記憶するステップと、
前記移動端末の識別情報と前記移動端末の位置情報の履歴とを関連付けた情報である位置履歴情報を記憶するステップと、
前記位置履歴情報に基づいて、前記移動端末を保有する前記ユーザが利用していた道路の推定結果である道路推定情報を導出するステップと、
前記ユーザ情報と、導出した前記道路推定情報とに基づいて、前記道路を利用するユーザの属性情報の分布を、時間帯毎に作成するステップと、
複数の広告情報を格納するステップと、
複数の道路区域を示す情報の各々と、前記道路区域での広告表示に関する規則を示す情報とを関連付けた情報である道路区域規則情報を記憶するステップと、
車両搭載装置が送信した位置情報と、前記道路を利用するユーザの属性情報の分布と、前記道路区域規則情報とに基づいて、複数の前記広告情報から、前記車両搭載装置へ配信する広告情報を決定するステップと、
決定した前記広告情報を、前記車両搭載装置へ配信するステップと
を有する、広告配信方法。
【請求項１０】
車両搭載装置が実行する広告配信方法であって、
車両の位置を収集し、収集した前記位置を示す情報を含み、広告配信装置をあて先とする車両位置通知情報を作成するステップと、
前記広告配信装置が、前記位置を示す情報に基づいて選択した広告情報を含む広告配信情報を配信し、配信された前記広告配信情報に含まれる広告情報のうち、前記車両の状況に応じて広告情報を、前記車両の外部に表示するステップと
を実行する、広告配信方法。
【請求項１１】
車両搭載装置に広告情報を配信する広告配信装置のコンピュータに、
移動端末を保有するユーザの識別情報と前記ユーザの属性情報とを関連付けたユーザ情報を記憶するステップと、
前記移動端末の識別情報と前記移動端末の位置情報の履歴とを関連付けた情報である位置履歴情報を記憶するステップと、
前記位置履歴情報に基づいて、前記移動端末を保有する前記ユーザが利用していた道路の推定結果である道路推定情報を導出するステップと、
前記ユーザ情報と、導出した前記道路推定情報とに基づいて、前記道路を利用するユーザの属性情報の分布を、時間帯毎に作成するステップと、
複数の広告情報を格納するステップと、
複数の道路区域を示す情報の各々と、前記道路区域での広告表示に関する規則を示す情報とを関連付けた情報である道路区域規則情報を記憶するステップと、
車両搭載装置が送信した位置情報と、前記道路を利用するユーザの属性情報の分布に基づいて、複数の前記広告情報から、前記車両搭載装置へ配信する広告情報を決定するステップと、
決定した前記広告情報を、前記車両搭載装置へ配信するステップと
を実行させる、プログラム。
【請求項１２】
車両搭載装置のコンピュータに、
車両の位置を収集し、収集した前記位置を示す情報を含み、広告配信装置をあて先とする車両位置通知情報を作成するステップと、
前記広告配信装置が、前記位置を示す情報に基づいて選択した広告情報を含む広告配信情報を配信し、配信された前記広告配信情報に含まれる広告情報のうち、前記車両の状況に応じて広告情報を、前記車両の外側に表示するステップと
を実行させる、プログラム。
【発明の詳細な説明】
【技術分野】
【０００１】
本発明の実施形態は、広告配信システム、広告配信装置、車両搭載装置、広告配信方法、及びプログラムに関する。
【背景技術】
【０００２】
車両の外側に広告を表示することで、広告を人目に付きやすくするシステムが検討されている。この技術に関して、宣伝効果が高いと推測される広告コンテンツを容易に決定できる技術が知られている（例えば、特許文献１参照）。この技術によれば、広告車の現在位置の近辺で販売している店舗数の多い商品等に応じて広告コンテンツを決定する。
【先行技術文献】
【特許文献】
【０００３】
【特許文献１】特開２００９−１６３１２６号公報
【発明の概要】
【発明が解決しようとする課題】
【０００４】
従来技術では、車両の外部に表示する広告を、リアルタイムに切り替えることを想定していないため、広告の効果は限定的であった。
本発明は、上記問題を解決すべくなされたもので、その目的は、車両の外部に表示する広告の効果を向上できる広告配信システム、広告配信装置、車両搭載装置、広告配信方法、及びプログラムを提供することにある。
【課題を解決するための手段】
【０００５】
（１）本発明の一態様は、車両搭載装置と、広告配信装置とを含む広告配信システムであって、前記広告配信装置は、移動端末を保有するユーザの識別情報と前記ユーザの属性情報とを関連付けたユーザ情報を記憶する個人情報ＤＢと、前記移動端末の識別情報と前記移動端末の位置情報の履歴とを関連付けた情報である位置履歴情報を記憶する位置情報ＤＢと、前記位置情報ＤＢに記憶されている前記位置履歴情報に基づいて、前記移動端末を保有する前記ユーザが利用していた道路の推定結果である道路推定情報を導出する利用道路推定部と、前記個人情報ＤＢに含まれる前記ユーザ情報と、前記利用道路推定部が導出した前記道路推定情報とに基づいて、前記道路を利用するユーザの属性情報の分布を、時間帯毎に作成する道路利用傾向把握部と、複数の広告情報を格納する広告情報ＤＢと、複数の道路区域を示す情報の各々と、前記道路区域での広告表示に関する規則を示す情報とを関連付けた情報である道路区域規則情報を記憶する規則ＤＢと、車両搭載装置が送信した位置情報と、前記道路利用傾向把握部が作成した前記道路を利用するユーザの属性情報の分布と、前記規則ＤＢに記憶されている前記道路区域規則情報とに基づいて、前記広告情報ＤＢに格納されている複数の前記広告情報から、前記車両搭載装置へ配信する広告情報を決定する広告決定部と、前記広告決定部が決定した広告情報を、前記車両搭載装置へ配信する広告配信部とを備える、広告配信システムである。
（２）本発明の一態様は、上記（１）に記載の広告配信システムにおいて、前記車両搭載装置は、前記車両搭載装置を搭載する車両の位置を収集し、収集した前記位置を示す情報を含み、前記広告配信装置をあて先とする車両位置通知情報を作成する位置計測部と、前記広告配信装置が送信した広告配信情報に含まれる広告情報を、前記車両の外部に表示する広告表示部とを備える。
（３）本発明の一態様は、上記（２）に記載の広告配信システムにおいて、前記広告表示部は、前記広告配信装置が送信した広告配信情報に含まれる複数の広告情報から、前記車両の状況に応じて選択した広告情報を、前記車両の外部に表示する。
（４）本発明の一態様は、上記（２）又は上記（３）に記載の広告配信システムにおいて、前記広告表示部は、デジタルサイネージに、前記広告情報を表示する。
（５）本発明の一態様は、上記（２）から上記（４）のいずれか一項に記載の広告配信システムにおいて、前記車両搭載装置は、前記車両が、停車しているか否かを判定する停車判定部を備え、前記広告表示部は、前記停車判定部が、前記車両が停車していると判定した場合に、前記広告情報を表示する。
（６）本発明の一態様は、上記（２）から上記（５）のいずれか一項に記載の広告配信システムにおいて、前記広告配信装置は、前記車両搭載装置が送信した前記位置情報に基づいて、走行ルートを導出する走行ルート導出部と、前記走行ルート導出部が導出した前記走行ルートに基づいて、前記広告情報を表示した前記車両搭載装置へ支払う対価を算出する対価算出部とを備える。
【０００６】
（７）本発明の一態様は、車両搭載装置に広告情報を配信する広告配信装置であって、移動端末を保有するユーザの識別情報と前記ユーザの属性情報とを関連付けたユーザ情報を記憶する個人情報ＤＢと、前記移動端末の識別情報と前記移動端末の位置情報の履歴とを関連付けた情報である位置履歴情報を記憶する位置情報ＤＢと、前記位置情報ＤＢに記憶されている前記位置履歴情報に基づいて、前記移動端末を保有する前記ユーザが利用していた道路の推定結果である道路推定情報を導出する利用道路推定部と、前記個人情報ＤＢに含まれる前記ユーザ情報と、前記利用道路推定部が導出した前記道路推定情報に基づいて、前記道路を利用するユーザの属性情報の分布を、時間帯毎に作成する道路利用傾向把握部と、複数の広告情報を格納する広告情報ＤＢと、複数の道路区域を示す情報の各々と、前記道路区域での広告表示に関する規則を示す情報とを関連付けた情報である道路区域規則情報を記憶する規則ＤＢと、車両搭載装置が送信した位置情報と、前記道路利用傾向把握部が作成した前記道路を利用するユーザの属性情報の分布と、前記規則ＤＢに記憶されている前記道路区域規則情報とに基づいて、複数の前記広告情報ＤＢに格納されている前記広告情報から、前記車両搭載装置へ配信する広告情報を決定する広告決定部と、前記広告決定部が決定した広告情報を、前記車両搭載装置へ配信する広告配信部とを備える、広告配信装置である。
【０００７】
（８）本発明の一態様は、車両の位置を収集し、収集した前記位置を示す情報を含み、広告配信装置をあて先とする車両位置通知情報を作成する位置計測部と、前記広告配信装置が、前記位置を示す情報に基づいて選択した広告情報を含む広告配信情報を配信し、配信された前記広告配信情報に含まれる広告情報のうち、前記車両の状況に応じて広告情報を、前記車両の外側に表示する広告表示部とを備える、車両搭載装置である。
【０００８】
（９）本発明の一態様は、車両搭載装置に広告情報を配信する広告配信装置が実行する広告配信方法であって、移動端末を保有するユーザの識別情報と前記ユーザの属性情報とを関連付けたユーザ情報を記憶するステップと、前記移動端末の識別情報と前記移動端末の位置情報の履歴とを関連付けた情報である位置履歴情報を記憶するステップと、前記位置履歴情報に基づいて、前記移動端末を保有する前記ユーザが利用していた道路の推定結果である道路推定情報を導出するステップと、前記ユーザ情報と、導出した前記道路推定情報とに基づいて、前記道路を利用するユーザの属性情報の分布を、時間帯毎に作成するステップと、複数の広告情報を格納するステップと、複数の道路区域を示す情報の各々と、前記道路区域での広告表示に関する規則を示す情報とを関連付けた情報である道路区域規則情報を記憶するステップと、車両搭載装置が送信した位置情報と、前記道路を利用するユーザの属性情報の分布と、前記道路区域規則情報とに基づいて、複数の前記広告情報から、前記車両搭載装置へ配信する広告情報を決定するステップと、決定した前記広告情報を、前記車両搭載装置へ配信するステップとを有する、広告配信方法である。
【０００９】
（１０）本発明の一態様は、車両搭載装置が実行する広告配信方法であって、車両の位置を収集し、収集した前記位置を示す情報を含み、広告配信装置をあて先とする車両位置通知情報を作成するステップと、前記広告配信装置が、前記位置を示す情報に基づいて選択した広告情報を含む広告配信情報を配信し、配信された前記広告配信情報に含まれる広告情報のうち、前記車両の状況に応じて広告情報を、前記車両の外部に表示するステップとを実行する、広告配信方法である。
【００１０】
（１１）本発明の一態様は、車両搭載装置に広告情報を配信する広告配信装置のコンピュータに、移動端末を保有するユーザの識別情報と前記ユーザの属性情報とを関連付けたユーザ情報を記憶するステップと、前記移動端末の識別情報と前記移動端末の位置情報の履歴とを関連付けた情報である位置履歴情報を記憶するステップと、前記位置履歴情報に基づいて、前記移動端末を保有する前記ユーザが利用していた道路の推定結果である道路推定情報を導出するステップと、前記ユーザ情報と、導出した前記道路推定情報とに基づいて、前記道路を利用するユーザの属性情報の分布を、時間帯毎に作成するステップと、複数の広告情報を格納するステップと、複数の道路区域を示す情報の各々と、前記道路区域での広告表示に関する規則を示す情報とを関連付けた情報である道路区域規則情報を記憶するステップと、車両搭載装置が送信した位置情報と、前記道路を利用するユーザの属性情報の分布と、前記道路区域規則情報とに基づいて、複数の前記広告情報から、前記車両搭載装置へ配信する広告情報を決定するステップと、決定した前記広告情報を、前記車両搭載装置へ配信するステップとを実行させる、プログラム。
（１２）本発明の一態様は、車両搭載装置のコンピュータに、車両の位置を収集し、収集した前記位置を示す情報を含み、広告配信装置をあて先とする車両位置通知情報を作成するステップと、前記広告配信装置が、前記位置を示す情報に基づいて選択した広告情報を含む広告配信情報を配信し、配信された前記広告配信情報に含まれる広告情報のうち、前記車両の状況に応じて広告情報を、前記車両の外側に表示するステップとを実行させる、プログラムである。
【発明の効果】
【００１１】
本発明によれば、車両の外部に表示する広告の効果を向上できる。
【図面の簡単な説明】
【００１２】
【図１】本発明の実施形態の広告配信システムの一例を示す図である。
【図２】本発明の実施形態の広告配信システムを構成する車両搭載装置のハードウェア構成と、広告配信装置のハードウェア構成との一例を示す図である。
【図３】本発明の実施形態の広告配信システムを構成する車両搭載装置と、広告配信装置とを示すブロック図である。
【図４】個人情報ＤＢの一例を示す。
【図５】位置情報ＤＢの一例を示す。
【図６】本発明の実施形態の広告配信システムの動作の一例を示すシーケンスチャートである。
【図７】本発明の実施形態の広告配信システムの動作の一例を示すシーケンスチャートである。
【発明を実施するための形態】
【００１３】
次に、本実施形態の広告配信システム、広告配信装置、車両搭載装置、広告配信方法、及びプログラムを、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
（実施形態）
（広告配信システム）
図１は、本発明の実施形態の広告配信システムの一例を示す図である。本実施形態の広告配信システム１００は、複数の移動端末１−１〜移動端末１−ｊ（ｊは、ｊ＞１の整数）と、車両搭載装置２と、広告配信装置３とを備える。
複数の移動端末１−１〜移動端末１−ｊの各々と、車両搭載装置２と、広告配信装置３との間は、携帯電話網、インターネットなどのネットワーク５０を介して接続される。以下、複数の移動端末１−１〜移動端末１−ｊを含めて、移動端末群という。移動端末群に含まれる複数の移動端末１−１〜移動端末１−ｊの各々の一例はスマートフォンである。複数の移動端末１−１〜移動端末１−ｊの各々は、車両１１−１〜車両１１−ｎ（ｎは、ｎ＞０の整数）に持ち込まれたり、人１２−１〜人１２−ｍ（ｍは、ｍ＞０）が持ち歩いたりする。以下、移動端末１−１〜移動端末１−ｊのうちの任意の移動端末を、移動端末１と記載する。
車両搭載装置２は、車両に搭載される装置であり、後続車や通行者が広告を視認することを目的としたデジタルサイネージを、車両の外部に備える。例えば、車両の後部にデジタルサイネージを備えてもよい。このように構成することによって、後続車に、広告情報を視認させることができる。車両搭載装置２は、その車両搭載装置２を搭載する車両の位置と、その車両の位置を取得した日時とを取得し、取得した車両の位置を示す情報と、その車両の位置を取得した日時を示す情報と、車両搭載装置２の識別情報（ＩＤ）とを含み、広告配信装置３をあて先とする車両位置通知情報を作成し、作成した車両位置通知情報を、広告配信装置３へ送信する。車両搭載装置２は、広告配信装置３が配信した広告配信情報を受信し、受信した広告配信情報に含まれる広告情報から、車両の状況に応じて、広告情報を、車両の外部のデジタルサイネージに表示する。例えば、広告配信装置３は、道路を走行しているときに、広告情報を表示する。
【００１４】
広告配信装置３は、移動端末群に含まれる複数の移動端末１−１〜移動端末１−ｊの各々を保有する個人の識別情報である個人ＩＤと、その個人の属性情報とを関連付けて記憶する。広告配信装置３は、移動端末群に含まれる複数の移動端末１−１〜移動端末１−ｊの各々の識別情報である移動端末ＩＤと、移動端末の位置の履歴を示す情報とを関連付けて記憶する。広告配信装置３は、広告情報を複数記憶する。広告配信装置３は、移動端末群に含まれる複数の移動端末１−１〜移動端末１−ｊの各々の位置の履歴を示す情報と、予め設定した地図情報とを比較することによって、マップマッチングを行い、移動端末１−１〜移動端末１−ｊの各々が走行するなどの利用していた道路を推定する。
広告配信装置３は、記憶している複数の移動端末１−１〜移動端末１−ｊの各々を保有する個人の個人ＩＤと、その個人の属性情報とを関連付けた情報と、移動端末１−１〜移動端末１−ｊの各々が利用していた道路の推定結果とに基づいて、道路毎に、その道路を利用する個人の属性情報の分布を、時間帯毎に導出する。
広告配信装置３は、車両搭載装置２が送信した車両位置通知情報を受信し、受信した車両位置通知情報に含まれる車両の位置を示す情報と、その車両の位置を取得した日時を示す情報とを取得する。広告配信装置３は、取得した車両の位置を示す情報と、その車両の位置を取得した日時を示す情報と、時間帯毎に導出した道路毎の個人の属性情報の分布とに基づいて、車両位置情報を送信した車両搭載装置２へ送信する広告を決定する。広告配信装置３は、決定した広告情報を含む広告配信情報を作成し、作成した広告配信情報を、車両搭載装置２へ送信する。
【００１５】
（広告配信システムのハードウェア構成）
図２は、本発明の実施形態の広告配信システムを構成する車両搭載装置のハードウェア構成と、広告配信装置のハードウェア構成との一例を示す図である。広告配信システム１００を構成する車両搭載装置２のハードウェア構成と広告配信装置３のハードウェア構成とについて順次説明する。
（車両搭載装置のハードウェア構成）
車両搭載装置２は、ＣＰＵ２５２と、メモリ２５４と、測位部２５５と、不揮発性メモリ２５６と、表示部２５７と、通信部２６６と、内部バス２５０とを備えている。
ＣＰＵ２５２は、例えば不揮発性メモリ２５６に格納されるプログラム２５６０を実行し、メモリ２５４をワークメモリとして使用して、車両搭載装置２の各部を制御する。メモリ２５４は、半導体素子を利用した揮発性のメモリなどのＲＡＭによって構成され、ＣＰＵ２５２のワークメモリとして使用される。
不揮発性メモリ２５６は、例えばフラッシュメモリ等によって構成される。不揮発性メモリ２５６には、ＣＰＵ２５２によって実行されるプログラム２５６０が格納される。測位部２５５は、車両搭載装置２の位置を測位する。表示部２５７は、例えば、デジタルサイネージによって構成され、広告配信装置３が送信した広告情報に基づく広告画面を表示する。
通信部２６６は、外部機器や、ネットワーク５０に接続された広告配信装置３などと通信して、データの送受信を行う。具体的には、通信部２６６は、ＬＴＥ等の無線通信技術で無線通信を行う無線デバイスによって構成される。内部バス２５０は、ＣＰＵ２５２、メモリ２５４、測位部２５５、不揮発性メモリ２５６、表示部２５７、通信部２６６を互いに接続する。内部バス２５０に接続される各部は、内部バス２５０を介して互いにデータのやり取りを行うことができるようにされている。
【００１６】
（広告配信装置のハードウェア構成）
広告配信装置３は、ＣＰＵ３５２と、メモリ３５４と、不揮発性メモリ３５６と、操作部３６２と、通信Ｉ／Ｆ３６６と、内部バス３５０とを備えている。
ＣＰＵ３５２は、例えば不揮発性メモリ３５６に格納されるプログラム３５６０を実行し、メモリ３５４をワークメモリとして使用して、広告配信装置３の各部を制御する。メモリ３５４は、半導体素子を利用した揮発性のメモリなどのＲＡＭによって構成され、ＣＰＵ３５２のワークメモリとして使用される。
不揮発性メモリ３５６は、例えばフラッシュメモリ等によって構成される。不揮発性メモリ３５６には、ＣＰＵ３５２によって実行されるプログラム３５６０と、個人情報３５６１と、位置情報３５６２と、規則情報３５６４と、広告情報３５６６とが格納される。個人情報３５６１と、位置情報３５６２と、規則情報３５６４と、広告情報３５６６とについては、後述する。
操作部３６２は、操作を受け付ける入力デバイスである。通信Ｉ／Ｆ３６６は、外部機器や、ネットワーク５０に接続された車両搭載装置２などと通信して、データの送受信を行うためのインターフェースである。具体的には、通信Ｉ／Ｆ３６６は、有線ＬＡＮ等の通信技術で通信を行うデバイスによって構成される。通信Ｉ／Ｆ３６６は、ワイファイ（登録商標）等の無線通信技術で無線通信を行う無線デバイスによって構成されてもよい。内部バス３５０は、ＣＰＵ３５２、メモリ３５４、不揮発性メモリ３５６、操作部３６２、及び通信Ｉ／Ｆ３６６を互いに接続する。内部バス３５０に接続される各部は、内部バス３５０を介して互いにデータのやり取りを行うことができるようにされている。
【００１７】
（本実施形態に係る広告配信システムの機能構成）
図３は、本発明の実施形態の広告配信システムを構成する車両搭載装置と、広告配信装置とを示すブロック図である。
車両搭載装置２は、位置計測部２０１と、広告表示部２０２と、停車判定部２０３とを有している。これらの各部は、図２に示されている各構成要素のいずれかが、不揮発性メモリ２５６からメモリ２５４上に展開されたプログラム２５６０を実行するＣＰＵ２５２からの命令によって動作することで実現される機能である。図２及び図３を用いて、車両搭載装置２の各機能構成について詳細に説明する。
位置計測部２０１は、ＣＰＵ２５２からの命令、測位部２５５及び通信部２６６によって実現される。位置計測部２０１は、測位部２５５へ、位置測位命令を出力し、出力した位置測位命令に応じて、測位部２５５が測位した車両搭載装置２の位置を示す情報と、その位置を取得した日時を示す情報とを取得する。位置計測部２０１は、取得した位置を示す情報と、その位置を取得した日時を示す情報とを含み、広告配信装置３をあて先とする車両位置通知情報を作成し、作成した車両位置通知情報を、通信部２６６へ出力する。
【００１８】
広告表示部２０２は、ＣＰＵ２５２からの命令、通信部２６６、及び表示部２５７によって実現される。広告表示部２０２は、通信部２６６が出力した広告配信情報を取得し、取得した広告配信情報に含まれる広告情報を処理することによって、広告画像を作成する。このように、広告配信装置３から広告情報を含む広告配信情報を、車両搭載装置２へ送信する。なお、広告配信装置３から複数の広告情報を含む広告配信情報を送信し、広告表示部２０２は、取得した広告配信情報に含まれる複数の広告情報を、車両の状況に応じて処理することとしてもよい。このように構成することによって、例えば、トンネルなどの広告配信装置３が送信した広告配信情報を受信できない位置に、車両搭載装置２が位置した場合であっても、取得しておいた広告情報を処理できるため、広告の表示ができなくなることを低減できる。広告表示部２０２は、作成した広告画像を、表示部２５７に出力する。
停車判定部２０３は、ＣＰＵ２５２からの命令によって実現される。停車判定部２０３は、車両搭載装置２を搭載した車両が停車中であるか否かを判定する。例えば、停車判定部２０３は、車両の速度を計測し、車両の速度の計測結果に基づいて、車両が停車中であるか否かを判定する。停車判定部２０３は、車両が停車中であると判定した場合に、車両が停車中であることを示す情報を、広告表示部２０２へ出力する。広告表示部２０２は、停車判定部２０３が出力した車両が停車中であることを示す情報を取得し、取得した車両が停車中であることを示す情報に基づいて、広告画像を、表示部２５７へ出力する。このように構成することによって、車両が停車中にのみ広告を表示できる。
広告配信装置３は、個人情報ＤＢ３０１と、位置情報ＤＢ３０２と、利用道路推定部３０３と、道路利用傾向把握部３０４と、広告情報ＤＢ３０５と、規則ＤＢ３０６と、広告決定部３０７と、広告配信部３０８と、走行ルート導出部３０９と、対価算出部３１０とを有している。これらの各部は、図２に示されている各構成要素のいずれかが、不揮発性メモリ３５６からメモリ３５４上に展開されたプログラム３５６０を実行するＣＰＵ３５２からの命令によって動作することで実現される機能である。
【００１９】
図２及び図３を用いて、広告配信装置３の各機能構成について詳細に説明する。
個人情報ＤＢ３０１は、ＣＰＵ３５２からの命令、及び不揮発性メモリ３５６によって実現される。個人情報ＤＢ３０１は、移動端末群に含まれる複数の移動端末１−１〜移動端末１−ｊの各々を保有する個人の個人ＩＤと、その個人が保有する移動端末の移動端末ＩＤと、その個人の属性情報とを関連付けたテーブル形式の情報である。
図４は、個人情報ＤＢの一例を示す。図４に示される例では、個人情報ＤＢ３０１には、個人ＩＤ「Ａ０００１」と、移動端末ＩＤ「ＭＴ０００１」と、性別「男」と、年齢「３０」と、住所「＊＊＊」とを関連付けた情報と、個人ＩＤ「Ａ０００２」と、移動端末ＩＤ「ＭＴ０００２」と、性別「女」と、年齢「２５」と、住所「＊＊＊」とを関連付けた情報とが含まれる。図３に戻り説明を続ける。
位置情報ＤＢ３０２は、ＣＰＵ３５２からの命令、及び不揮発性メモリ３５６によって実現される。位置情報ＤＢ３０２は、移動端末群に含まれる複数の移動端末１−１〜移動端末１−ｊの各々の移動端末ＩＤと、移動端末の位置の履歴とを関連付けたテーブル形式の情報である。移動端末の位置の履歴を示す情報である位置履歴情報は、取得日時と位置情報との組み合わせである。
図５は、位置情報ＤＢの一例を示す。図５に示される例では、位置情報ＤＢ３０２には、移動端末ＩＤ「ＭＴ０００１」と、位置履歴情報「＊月＊日＊時＊分（＊＊，＊＊）」、「〇月〇日〇時〇分（〇〇，〇〇）」、「△月△日△時△分（△△，△△）」とを関連付けた情報と、移動端末ＩＤ「ＭＴ０００２」と、位置履歴情報「△月△日△時△分（△△，△△）」、「＊月＊日＊時＊分（＊＊，＊＊）」、「〇月〇日〇時〇分（〇〇，〇〇）」とを関連付けた情報とが含まれる。図３に戻り説明を続ける。
【００２０】
利用道路推定部３０３は、位置情報ＤＢ３０２と接続される。利用道路推定部３０３は、位置情報ＤＢ３０２に保管されている移動端末群に含まれる複数の移動端末１−１から移動端末１−ｊの各々の位置情報と、予め用意され、設定される地図情報とを比較してマップマッチングを行い、複数の移動端末１−１から移動端末１−ｊの各々が走行するなどの利用していた道路を推定する。
ここで、マップマッチングは、ＧＰＳなどの測位システムによって得られた位置情報を、地図情報を用いて道路上になるように補正する処理である。マップマッチングは、カーナビゲーションシステムなどで使用されている。マップマッチングを行うことによって、複数の移動端末１−１から移動端末１−ｊの各々の位置情報に含まれる可能性がある誤差を補正できる。利用道路推定部３０３は、複数の移動端末１−１から移動端末１−ｊの各々が利用していた道路の推定結果を示す情報を、道路利用傾向把握部３０４に出力する。
【００２１】
道路利用傾向把握部３０４は、個人情報ＤＢ３０１と、利用道路推定部３０３と接続される。道路利用傾向把握部３０４は、利用道路推定部３０３が出力した複数の移動端末１−１から移動端末１−ｊの各々が利用していた道路の推定結果を示す情報を取得する。
道路利用傾向把握部３０４は、個人情報ＤＢ３０１に含まれる複数の移動端末１−１〜移動端末１−ｊの各々を保有する個人の個人ＩＤと、その個人が保有する移動端末の移動端末ＩＤと、その個人の属性情報とを関連付けた情報と、複数の移動端末１−１から移動端末１−ｊの各々が利用していた道路の推定結果を示す情報である道路推定情報とに基づいて、複数の道路の各々について、その道路を利用する個人の属性情報の分布を、９時から１２時、１２時から１５時、１５時から１６時、１６時から１７時などの時間帯毎に作成する。
具体的には、道路利用傾向把握部３０４は、個人情報ＤＢ３０１と道路推定情報とに基づいて、個人の個人ＩＤと、その個人が利用していた道路の推定結果とを、時間帯毎に関連付けることによって、道路毎の通行者数を、時間帯毎に関連付ける。道路利用傾向把握部３０４は、個人の個人ＩＤと、その個人が利用していた道路の時間帯毎の推定結果とを関連付けた情報と、個人情報ＤＢ３０１に含まれる個人の個人ＩＤと、その個人の属性情報とを関連付けた情報とから、から、個人ＩＤに基づいて、個人が利用していた道路の時間帯毎の推定結果と、個人の属性情報とを関連付ける。例えば、道路利用傾向把握部３０４は、道路を利用する個人の属性の分布として、月曜の１６時から１７時に道路Ａを通行する人は３０代の女性が２０％を占めているなどの内容を推定する。
【００２２】
広告情報ＤＢ３０５は、複数の広告情報を格納しているデータベースである。例えば、広告情報ＤＢ３０５は、新製品の発売情報、製品の割引情報、映画の公開情報などの広告情報を格納している。複数の広告情報の各々は、設定された配信期間にしたがって、配信される。
規則ＤＢ３０６は、複数の道路区域を示す情報の各々と、その道路区域での広告表示に関する規則を示す情報とを関連付けた情報である道路区域規則情報を記憶する。例えば、規則ＤＢ３０６は、複数の道路区域を示す情報の各々と、車両の外部に広告を表示することが禁止されているか否かを示す情報とを関連付けて記憶する。また、規則ＤＢ３０６は、複数の道路区域を示す情報の各々と、車両の外部に表示することが禁止されている広告種別を示す情報とを関連付けて記憶してもよい。ここで、広告種別は、静止画、動画などである。また、規則ＤＢ３０６は、複数の道路区域を示す情報の各々と、広告を表示できる車両の状態を示す情報とを関連付けて記憶してもよい。ここで、車両の状態は、停車、徐行などが含まれる。
広告決定部３０７は、道路利用傾向把握部３０４と、広告情報ＤＢ３０５と、規則ＤＢ３０６と接続される。また、広告決定部３０７は、車両搭載装置２が送信した車両位置通知情報を取得し、取得した車両位置通知情報に含まれる位置を示す情報と、その位置を示す情報を取得した日時を示す情報とを取得する。
広告決定部３０７は、取得した位置を示す情報と、その位置を示す情報を取得した日時を示す情報とに基づいて、取得した位置を示す情報と、予め用意され、設定される地図情報とを比較してマップマッチングを行うことによって、車両搭載装置２を搭載している車両が通行している道路を推定する。
広告決定部３０７は、道路利用傾向把握部３０４が作成した複数の道路の各々について、その道路を利用する個人の属性情報の時間帯毎の分布から、車両が通行している道路の推定結果に該当し、且つ取得した日時を示す情報を含む時間帯の属性情報を取得する。
広告決定部３０７は、広告情報ＤＢ３０５に含まれる複数の広告情報から、取得した属性情報に適合する広告情報を抽出する。例えば、広告決定部３０７は、日曜の１１時〜１７時に、道路Ａを歩行する者の７０％の属性が、１０〜４０代の女性である場合には、若中年層向けの化粧品の新製品情報を示す広告情報を抽出する。ここで、任意の道路において複数の広告情報を抽出しても構わない。
広告決定部３０７は、規則ＤＢ３０６から、車両が走行している道路に該当する道路区域に関連付けられている広告表示に関する規則を示す情報を取得する。例えば、広告決定部３０７は、車両が走行している道路に該当する道路区域に関連付けられている動画による広告が禁止されていることを示す情報を抽出する。広告決定部３０７は、取得した広告表示に関する規則を示す情報に基づいて、抽出した広告情報のうち、車両搭載装置２に配信できる広告情報を決定する。具体的には、広告決定部３０７は、広告表示に関する規則によって、抽出した広告情報による広告が禁止されていない場合には配信できると判定し、禁止されている場合には配信できないと判定する。広告決定部３０７は、配信する広告情報を、広告配信部３０８へ出力する。
【００２３】
広告配信部３０８は、広告決定部３０７と接続される。広告配信部３０８は、広告決定部３０７が出力した配信する広告情報を取得し、取得した配信する広告情報を含み、車両搭載装置２をあて先とする広告配信情報を作成し、作成した広告配信情報を、通信Ｉ／Ｆ３６６へ出力する。
走行ルート導出部３０９は、車両搭載装置２が送信した車両位置通知情報を取得し、取得した車両位置通知情報に含まれる位置を示す情報と、その位置を示す情報を取得した日時を示す情報とを取得する。
走行ルート導出部３０９は、取得した位置を示す情報と、その位置を示す情報を取得した日時を示す情報とに基づいて、取得した位置を示す情報と、予め用意され、設定される地図情報とを比較してマップマッチングを行うことによって、車両搭載装置２を搭載している車両が通行している道路を推定する。走行ルート導出部３０９は、車両が通行している道路の推定結果に基づいて、走行ルートを導出する。つまり、走行ルート導出部３０９は、車両搭載装置２に広告を表示させているときに車両が走行している走行ルートを導出する。走行ルート導出部３０９は、走行ルートの導出結果を、対価算出部３１０へ出力する。
対価算出部３１０は、走行ルート導出部３０９と接続される。対価算出部３１０は、走行ルート導出部３０９が出力した走行ルートの導出結果を取得し、取得した走行ルートの導出結果に基づいて、車両搭載装置２が、デジタルサイネージに表示した広告に対する対価を算出する。広告を視認した者の数は、時間帯、道路などによって異なる場合があるため、対価算出部３１０は、時間帯、道路などによって、対価を異ならせてもよい。広告配信装置３に、対価算出部３１０を備えることによって、広告を表示する金銭的なメリットを与えることができるため、車両に広告を表示することを促すことができる。
【００２４】
（広告配信システムの動作の一例）
図６は、本発明の実施形態の広告配信システムの動作の一例を示すフローチャートである。図６には、広告配信システム１００が、複数の道路の各々について、その道路を利用する個人の属性情報の分布を、時間帯毎に作成する処理を示す。ここでは、位置情報ＤＢ３０２に、移動端末群に含まれる複数の移動端末１−１〜移動端末１−ｊの各々の移動端末ＩＤと、移動端末の位置の履歴とを関連付けた情報が蓄積されている前提で説明する。
（ステップＳ１）
広告配信装置３の利用道路推定部３０３は、位置情報ＤＢ３０２に保管されている移動端末群に含まれる複数の移動端末１−１から移動端末１−ｊの各々の位置を示す情報を取得する。
（ステップＳ２）
広告配信装置３の利用道路推定部３０３は、取得した複数の移動端末１−１から移動端末１−ｊの各々の位置を示す情報と、予め用意される地図情報とを比較してマップマッチングを行い、複数の移動端末１−１から移動端末１−ｊの各々が利用していた道路を、時間帯毎に推定する。利用道路推定部３０３は、複数の移動端末１−１から移動端末１−ｊの各々が利用していた道路の推定結果を示す情報を、道路利用傾向把握部３０４に出力する。
（ステップＳ３）
広告配信装置３の道路利用傾向把握部３０４は、個人情報ＤＢ３０１に含まれる複数の移動端末１−１〜移動端末１−ｊの各々を保有する個人の個人ＩＤと、その個人が保有する移動端末の移動端末ＩＤとその個人の属性情報とを関連付けた情報と、複数の移動端末１−１から移動端末１−ｊの各々が利用していた道路の推定結果を示す情報である道路推定情報とに基づいて、複数の道路の各々について、その道路を利用する個人の属性情報の分布を、時間帯毎に作成する。
【００２５】
図７は、本発明の実施形態の広告配信システムの動作の一例を示すシーケンスチャートである。図７では、広告配信装置３は、車両搭載装置２が送信した車両位置通知情報に基づいて、配信する広告情報を決定し、決定した広告情報を、車両搭載装置２に配信する処理を示す。広告配信装置３は、運転が終了するまで、この処理を、繰り返し行う。
（ステップＳ１１）
車両搭載装置２の位置計測部２０１は、測位部２５５へ、位置測位命令を出力し、出力した位置測位命令に応じて、測位部２５５が測位した車両搭載装置２の位置を示す情報と、その位置を取得した日時を示す情報とを取得する。位置計測部２０１は、取得した位置を示す情報と、その位置を取得した日時を示す情報とを含み、広告配信装置３をあて先とする車両位置通知情報を作成し、作成した車両位置通知情報を、通信部２６６へ出力する。通信部２６６は、位置計測部２０１が出力した車両位置通知情報を取得し、取得した車両位置通知情報を、広告配信装置３に送信する。
（ステップＳ１２）
広告配信装置３の通信Ｉ／Ｆ３６６は、車両搭載装置２が送信した車両位置通知情報を受信し、受信した車両位置通知情報を、広告決定部３０７に出力する。
（ステップＳ１３）
広告配信装置３の広告決定部３０７は、通信Ｉ／Ｆ３６６が出力した車両位置通知情報を取得し、取得した車両位置通知情報に含まれる位置を示す情報と、その位置を示す情報を取得した日時を示す情報とを取得する。
広告決定部３０７は、取得した位置を示す情報と、その位置を示す情報を取得した日時を示す情報とに基づいて、取得した位置を示す情報と、予め用意され、設定される地図情報とを比較してマップマッチングを行うことによって、車両搭載装置２を搭載している車両が通行している道路を推定する。
【００２６】
（ステップＳ１４）
広告決定部３０７は、道路利用傾向把握部３０４が作成した複数の道路の各々について、その道路を利用する個人の属性情報の時間帯毎の分布から、車両が通行している道路の推定結果に該当し、且つ取得した日時を示す情報を含む時間帯の属性情報を取得する。
広告決定部３０７は、広告情報ＤＢ３０５に含まれる複数の広告情報から、取得した属性情報に適合する広告情報を抽出する。
（ステップＳ１５）
広告決定部３０７は、規則ＤＢ３０６から、車両が走行している道路に該当する道路区域に関連付けられている広告表示に関する規則を示す情報を取得する。
（ステップＳ１６）
広告決定部３０７は、取得した広告表示に関する規則を示す情報に基づいて、抽出した広告情報のうち、車両搭載装置２に配信できる広告情報を決定する。
（ステップＳ１７）
広告決定部３０７は、車両搭載装置２に配信できる広告情報がない場合に、広告を配信しないことを決定する。
（ステップＳ１８）
広告決定部３０７は、車両搭載装置２に配信できる広告情報がある場合に、広告を配信することを決定する。
（ステップＳ１９）
広告決定部３０７は、配信する広告情報を、広告配信部３０８へ出力する。広告配信部３０８は、広告決定部３０７が出力した配信する広告情報を取得し、取得した配信する広告を含み、車両搭載装置２を宛先とする広告配信情報を作成する。広告配信部３０８は、作成した広告配信情報を、通信Ｉ／Ｆ３６６へ出力する。通信Ｉ／Ｆ３６６は、広告配信部３０８が出力した広告配信情報を取得し、取得した広告配信情報を、車両搭載装置２へ送信する。
（ステップＳ２０）
車両搭載装置２の通信部２６６は、広告配信装置３が送信した広告配信情報を受信し、受信した広告配信情報を、広告表示部２０２へ出力する。
（ステップＳ２１）
広告表示部２０２は、通信部２６６が出力した広告配信情報を取得し、取得した広告配信情報に含まれる広告情報のうち、車両搭載装置２を搭載する車両の状況に応じて広告情報を処理することによって、広告画像を作成する。広告表示部２０２は、作成した広告画像を、表示部２５７に出力する。
【００２７】
前述した実施形態では、道路利用傾向把握部３０４は、個人情報ＤＢ３０１に含まれる複数の移動端末１−１〜移動端末１−ｊの各々を保有する個人の個人ＩＤと、その個人が保有する移動端末の移動端末ＩＤと、その個人の属性情報とを関連付けた情報と、複数の移動端末１−１から移動端末１−ｊの各々が利用していた道路の推定結果を示す情報である道路推定情報とに基づいて、複数の道路の各々について、その道路を利用する個人の属性情報の分布を、時間帯毎に作成する場合について説明したがこの限りでない。
例えば、車両搭載装置２に、個人の識別情報である個人ＩＤと、その個人の性別、その個人の年齢などのその個人の属性とを関連付けた属性情報を記憶させておく。車両搭載装置２は、記憶させておいた属性情報を取得し、取得した属性情報と、車両の運転者のＩＤとを含み、広告配信装置３をあて先とする属性情報通知情報を作成し、作成した属性情報通知情報を、広告配信装置３へ送信する。道路利用傾向把握部３０４は、個人情報ＤＢ３０１に含まれる複数の移動端末１−１〜移動端末１−ｊの各々を保有する個人の個人ＩＤと、その個人が保有する移動端末の移動端末ＩＤと、その個人の属性情報とを関連付けた情報と、複数の移動端末１−１から移動端末１−ｊの各々が利用していた道路の推定結果を示す情報である道路推定情報とに加え、複数の移動端末１−１から移動端末１−ｊの各々の目的地の推定結果を示す情報である目的地推定情報に基づいて、複数の道路の各々について、その道路を利用する個人の属性情報の分布を、時間帯毎に作成してもよい。
前述した実施形態では、道路利用傾向把握部３０４が、複数の道路の各々について、その道路を利用する個人の属性情報の分布を、９時から１２時、１２時から１５時、１５時から１６時、１６時から１７時などの時間帯毎に作成する場合について説明したが、この例に限られない。例えば、道路利用傾向把握部３０４は、複数の道路の各々について、その道路を利用する個人の属性情報の分布を、曜日毎に作成してもよいし、日付毎に作成してもよいし、曜日と日付と時間との組み合わせ毎に作成してもよい。例えば、道路利用傾向把握部３０４は、複数の道路の各々について、その道路を利用する個人の属性情報の分布を、〇曜日の□時〜△時、＊月×日の△時〜□時毎に作成する。
前述した実施形態では、対価算出部３１０が、走行ルートの導出結果に基づいて、車両搭載装置２が、デジタルサイネージに表示した広告に対する対価を算出する場合について説明したが、この限りでない。例えば、走行ルート導出部３０９は、車両が通行している道路の推定結果に基づいて、走行ルートを導出するとともに、走行ルートの距離を導出し、走行ルートの距離の導出結果を、対価算出部３１０に出力する。対価算出部３１０が、走行ルートの距離の導出結果に基づいて、車両搭載装置２が、デジタルサイネージに表示した広告に対する対価を算出するようにしてもよい。
前述した実施形態では、広告配信部３０８が、配信する広告情報を含み、車両搭載装置２をあて先とする広告配信情報を作成し、作成した広告配信情報を、通信Ｉ／Ｆ３６６へ出力する場合について説明したが、この限りでない。例えば、広告配信部３０８が、配信する広告情報と、その広告情報を表示する道路を示す情報とを含み、車両搭載装置２をあて先とする広告配信情報を作成してもよい。この場合、車両搭載装置２は、広告配信装置３が送信した広告配信情報を受信し、受信した広告配信情報に含まれる広告情報とその広告情報を表示する道路を示す情報とに基づいて、その道路を走行しているときには、その道路に該当する広告情報を表示する。このように構成することによって、走行する道路が変わるたびに、広告配信情報を送信しなくてもよくなるため、広告配信情報を送信する回数を減少させることができる。
前述した実施形態において、広告配信装置３の個人情報ＤＢ３０１に、家族割引サービスから判断できる家族状況と、加入している通信プランとを保管してもよい。
前述した実施形態において、広告配信装置３の利用道路推定部３０３は、単一時間あたりの移動平均量などに基づいて、移動端末群の位置が、道路沿いの建物から移動しない場合に、その道路沿いの建物に滞在していると判定してもよい。また、利用道路推定部３０３は、道路を利用している移動端末群に含まれる移動端末１−１から移動端末１−ｊの各々の移動手段が歩行であるか、車両であるかを判定してもよい。
【００２８】
本実施例の広告配信システムによれば、広告配信装置３は、個人情報ＤＢ３０１と、位置情報ＤＢ３０２と、利用道路推定部３０３と、道路利用傾向把握部３０４と、広告情報ＤＢ３０５と、規則ＤＢ３０６と、広告決定部３０７と、広告配信部３０８とを備える。個人情報ＤＢ３０１は、移動端末１を保有するユーザの個人ＩＤとユーザの属性情報とを関連付けたユーザ情報を記憶する。位置情報ＤＢ３０２は、移動端末１の移動端末ＩＤと移動端末１の位置情報の履歴とを関連付けた情報である位置履歴情報を記憶する。利用道路推定部３０３は、位置情報ＤＢ３０２に記憶されている位置履歴情報に基づいて、移動端末１を保有するユーザが利用していた道路の推定結果である道路推定情報を導出する。道路利用傾向把握部３０４は、個人情報ＤＢ３０１に含まれるユーザ情報と、利用道路推定部３０３が導出した道路推定情報とに基づいて、道路を利用するユーザの属性情報の分布を、時間帯毎に作成する。広告情報ＤＢ３０５は、複数の広告情報を格納する。規則ＤＢ３０６は、複数の道路区域を示す情報の各々と、道路区域での広告表示に関する規則を示す情報とを関連付けた情報である道路区域規則情報を記憶する。広告決定部３０７は、車両搭載装置２が送信した位置情報と、道路利用傾向把握部３０４が作成した道路を利用するユーザの属性情報の分布と、規則ＤＢ３０６に記憶されている前記道路区域規則情報とに基づいて、広告情報ＤＢ３０５に格納されている複数の広告情報から、車両搭載装置２へ配信する広告情報を決定する。広告配信部３０８は、広告決定部３０７が決定した広告情報を、車両搭載装置２へ配信する。このように構成することによって、広告配信装置３は、車両搭載装置２の位置、移動端末１を保持する歩行者の位置などのビッグデータから、道路毎の利用者の傾向を、時間帯毎に把握できるため、把握した利用者の傾向を、車両の外部の広告の配信に活用できる。
【００２９】
さらに、車両搭載装置２は、位置計測部２０１と、広告表示部２０２とを備える。位置計測部２０１は、車両搭載装置２を搭載する車両の位置を収集し、収集した位置を示す情報を含み、広告配信装置をあて先とする車両位置通知情報を作成する。広告表示部２０２は、広告配信装置３が送信した広告配信情報に含まれる広告情報を、車両の外部に表示する。このように構成することによって、車両搭載装置２は、車両位置通知情報を送信することによって、広告配信装置３が送信した広告配信情報を受信できる。
さらに、広告表示部２０２は、広告配信装置３が送信した広告配信情報に含まれる複数の広告情報から、車両の状況に応じて選択した広告情報を、車両の外部に表示する。このように構成することによって、車両搭載装置２は、広告配信装置３が送信した複数の広告配信情報に含まれる複数の広告情報から、広告情報を車両の状況に応じて選択できる。
さらに、広告表示部２０２は、デジタルサイネージに、広告情報を表示する。このように構成することによって、デジタルサイネージなどのディスプレイを備える車両を利用する者に負担をかけることなく、効果の高い広告を表示することができる。
さらに、車両搭載装置２は、車両が、停車しているか否かを判定する停車判定部２０３を備え、広告表示部２０２は、停車判定部２０３が、車両が停車していると判定した場合に、広告情報を表示する。このように構成することによって、車両が停車しているときに、広告情報を表示できる。
さらに、広告配信装置３は、車両搭載装置２が送信した位置情報に基づいて、走行ルートを導出する走行ルート導出部３０９と、走行ルート導出部３０９が導出した走行ルートに基づいて、広告情報を表示した車両搭載装置２へ支払う対価を算出する対価算出部とを備える。このように構成することによって、外部に広告を表示するメリットが生じるため、外部に広告を表示することを促すことができる。
【００３０】
以上、実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合せを行うことができる。これら実施形態は、発明の範囲や要旨に含まれると同時に、特許請求の範囲に記載された発明とその均等の範囲に含まれるものである。
なお、上述した広告配信システム１００に含まれる移動端末１と、車両搭載装置２と、広告配信装置３とは、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵが実行することで実現してもよい。ここでいう「コンピュータシステム」とは、ＯＳ(Operating System)や周辺機器などのハードウェアを含むものとする。
【００３１】
また、「コンピュータ読み取り可能な記録媒体」とは、フレキシブルディスク、光磁気ディスク、ＲＯＭ、ＣＤ−ＲＯＭなどの可搬媒体のことをいう。また、「コンピュータ読み取り可能な記録媒体」は、コンピュータシステムに内蔵されるハードディスクなどの記憶装置を含む。
さらに「コンピュータ読み取り可能な記録媒体」とは、短時間の間、動的にプログラムを保持するものを含んでいてもよい。短時間の間、動的にプログラムを保持するものは、例えば、インターネットなどのネットワークや電話回線などの通信回線を介してプログラムを送信する場合の通信線である。
また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ(Field Programmable Gate Array)である。
【００３２】
なお、上述の移動端末１と、車両搭載装置２と、広告配信装置３とは内部にコンピュータを有している。そして、上述した移動端末１と、車両搭載装置２と、広告配信装置３との各処理の過程は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリなどをいう。また、このコンピュータプログラムを通信回線によってコンピュータに配信し、この配信を受けたコンピュータが当該プログラムを実行するようにしてもよい。
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００３３】
１−１〜１−ｊ、１…移動端末、２…車両搭載装置、３…広告配信装置、５０…ネットワーク、１１−１、１１−２、・・・、１１−ｎ…車両、１２−１、１２−２、・・・、１２−ｍ…人、１００…広告配信システム、２０１…位置計測部、２０２…広告表示部、２０３…停車判定部、２５０…内部バス、２５２…ＣＰＵ、２５４…メモリ、２５５…測位部、２５６…不揮発性メモリ、２５７…表示部、２６６…通信部、２５６０…プログラム、３０１…個人情報ＤＢ、３０２…位置情報ＤＢ、３０３…利用道路推定部、３０４…道路利用傾向把握部、３０５…広告情報ＤＢ、３０６…規則ＤＢ、３０７…広告決定部、３０８…広告配信部、３０９…走行ルート導出部、３１０…対価算出部、３５０…内部バス、３５２…ＣＰＵ、３５４…メモリ、３５６…不揮発性メモリ、３６２…操作部、３６６…通信Ｉ／Ｆ、３５６０…プログラム、３５６１…個人情報、３５６２…位置情報、３５６４…規則情報、３５６６…広告情報
【図１】
2020052908.tif 000003
【図２】
2020052908.tif 000004
【図３】
2020052908.tif 000005
【図４】
2020052908.tif 000006
【図５】
2020052908.tif 000007
【図６】
2020052908.tif 000008
【図７】
2020052908.tif 000009